(57)【特許請求の範囲】
【請求項１】
スナップボタンの雄体を挿通するための開口部（１２）を有する表面シェル部材（１４）と、下端フランジ部分（１６）を有し、該下端フランジ部分に沿って前記表面シェル部材と一体化されたバレル部材（１８）にして、前記表面シェル部材との間に創出される環状空間（２６）内に環状ばね部材（２８）を収容してなる第１の円筒形状部分（２０）と、該第１の円筒形状部分から上方に向けて伸延し、前記第１の円筒形状部分（２０）よりも減径された第２の円筒形状部分（２４）とを有しそれにより、前記第１の円筒形状部分（２０）と第２の円筒形状部分（２４）との移行部（２２）には肩部（３０）が形成されてなるバレル部材（１８）とから構成されてなるスナップボタンの雌体（１０）であって、
前記第２の円筒形状部分（２４）の内径を前記環状ばね部材（２８）の内径よりも小さくしたことを特徴とするスナップボタンの雌体。
【請求項２】
請求項１に記載のスナップボタンの雌体（１０）を生地（３２）に取付けるための、下方ダイ（３６）を含む加締め型であって、
前記下方ダイ（３６）が、表面シェル部材（１４）を受ける支持面（３８）と、前記表面シェル部材の開口部（１２）を貫いてバレル部材（１８）の内部に突入する突出部（４０）とを有し、該突出部が、前記バレル部材に於ける肩部（３０）を受けるようになっている段部（４２）を具備してなる加締め型。
【発明の詳細な説明】
【０００１】
【発明の属する技術分野】
本発明はスナップボタンの雌体及びその取付け用の加締め型に関する。
【０００２】
【従来の技術】
従来、図３に示すような形式のスナップボタンの雌体１が使用されている。この雌体１は表面シェル部材３と、バレル部材５と、環状ばね部材７とからなり、環状ばね部材７はバレル部材５の下方の拡径部９と前記表面シェル部材３との間に創出される環状空間１１内に遊嵌され、またこの環状ばね部材７の内径Ｂはバレル部材５の前記拡径部９から上方に伸延する減径部１３の内径Ａよりも小さくされている。このＡ＞Ｂなる寸法関係は、従来の雌体が雄体（図示せず）の、前記内径Ｂと等しいかやや大きいがしかし減径部１３の内径Ａよりは直径の小さいくびれ部分に弾発的に係入する構成を取る上で必然の条件となっている。そしてこの構成の雌体１を、図４に示すように取付け部材１５を使用して加締め型により加締めて生地１７等に取付ける場合は、先ず、加締め型の上方ダイ１９が降下してバレル部材５の減径部１３の上部を取付け部材１５と生地１７とに加締めることになるが、この時に上方ダイによって行使される押圧力が、バレル部材５の減径部１３及び環状ばね部材７を介して下方ダイ１９０の中央突出部２１の上縁部、或は図４に示す如くこの上縁部に沿って形成した段部２３に加わるようになっているため、環状ばね部材７は押圧力の全てを受けて変形しその結果、スナップボタンの雄体に対する脱着上の弾力にバラツキが生じるようになる。
【０００３】
【発明が解決しようとする課題】
環状ばね部材の、スナップボタンの雄体に対する脱着上の弾力にバラツキを生じさせることなく生地等に取り付けすることの出来るスナップボタンの雌体を提供することであり、
前記スナップボタンの雌体の取付けに使用するための加締め型に於ける下方ダイを提供することである。
【０００４】
【課題を解決するための手段】
本発明に従えば、
スナップボタンの雄体を挿通するための開口部１２を有する表面シェル部材１４と、下端フランジ部分１６を有し、該下端フランジ部分に沿って前記表面シェル部材と一体化されたバレル部材１８にして、前記表面シェル部材との間に創出される環状空間２６内に環状ばね部材２８を収容してなる第１の円筒形状部分２０と、該第１の円筒形状部分から上方に向けて伸延し、前記第１の円筒形状部分２０よりも減径された第２の円筒形状部分２４とを有しそれにより、前記第１の円筒形状部分２０と第２の円筒形状部分２４との移行部２２には肩部３０が形成されてなるバレル部材１８とから構成されてなるスナップボタンの雌体１０であって、
前記第２の円筒形状部分２４の内径を前記環状ばね部材２８の内径よりも小さくしたことを特徴とするスナップボタンの雌体が提供され、また、
請求項１に記載のスナップボタンの雌体１０を生地３２に取付けるための、下方ダイ３６を含む加締め型であって、
前記下方ダイ３６が、表面シェル部材１４を受ける支持面３８と、前記表面シェル部材の開口部１２を貫いてバレル部材１８の内部に突入する突出部４０とを有し、該突出部が、前記バレル部材に於ける肩部３０を受けるようになっている段部４２を具備してなる加締め型が提供される。
【０００５】
【発明の実施の形態】
図１及び２を参照して本発明の雌体を詳しく説明するに、図１には本発明に従う構成を有するスナップボタンの雌体１０（以下、単に雌体１０とも称する）の断面が示されており、雌体１０は、図３に示す如き従来製品と同様に、後述する加締め型の下方ダイを挿通させるための開口部１２をその中央に有する表面シェル部材１４を有し、下端フランジ部分１６を有するバレル部材１８が、この下端フランジ部分１６に沿って前記表面シェル部材１４と一体化されている。このバレル部材１８は、前記下端フランジ部分１６から上方に向けて伸延される第１の円筒形状部分２０と、移行部２２を介してこの第１の円筒形状部分２０と連続し且つ第１の円筒形状部分２０よりも減径された第２の円筒形状部分２４とを有し、第１の円筒形状部分２０と移行部２２とによって画定される環状空間２６には、スナップボタンの雄体（図示せず）を弾発係入する際の弾発アクションを行使し且つ係入した雄体をしっかりと保持するための環状ばね部材２８が介装される。前述の如く、第２の円筒形状部分２４が第１の円筒形状部分２０よりも減径されていることから、移行部２２には肩部３０が形成される。
【０００６】
本発明の前記雌体１０は、前記従来の雌体１がその環状ばね部材７の内径Ｂを減径部１３の内径Ａよりも小さくしているのとは逆に、環状ばね部材２８の内径Ｂの方を、バレル部材１８の第２の円筒形状部分２４の内径Ａよりも大きく設定している。こうすることにより、本発明の雌体１を取付け部材と共に生地に取付ける場合、加締め型の下方ダイの中央突出部の上縁部を、加締め作業に際し、従来のように環状ばね部材２８にでは無く、前記肩部３０に当接させることが出来るようになる。
【０００７】
図２にはまた、前記雌体１０を生地３２等に、取付け部材３４等と共に加締め付けるための、本発明に従う加締め型における下方ダイ３６も示されている。下方ダイ３６は、雌体１０の表面シェル部材１４を受ける支持面３８と、この支持面３８の中央から上方に突出し、雌体１０の開口部１２から雌体１０に挿通される突出部４０とを有している。そしてこの突出部４０の上縁部には、図４の従来例に示す段部２３と同様の段部４２が形成されている。しかしながらこの段部４２は、雌体１０が前述の如く環状ばね部材２８の内径Ｂの方をバレル部材１８の第２の円筒形状部分２４の内径Ａよりも大きく設定してあることから、加締めに際しては、従来の段部２３のようにばね部材を受けるのでは無く、むしろ環状ばね部材２８をかわして肩部３０を直接受けることが出来る。従って、前記突出部４０の前記段部４２は、前記環状ばね部材２８の内径Ｂよりも小さく且つバレル部材１８の第２の円筒形状部分２４の内径Ａよりも大きい範囲で形成される。
【０００８】
図５には、本発明の雌体１０と共に使用することの出来る代表的な雄体５０を前記雌体１０と合着させた状態に於て例示される。雌体１０の前述の如き構成から明らかなように、雄体５０は、雌体１０の前記第２の円筒形状部分２４の内径Ａよりも直径の小さい頭部５２と、第２の円筒形状部分２４の内径Ａよりも大きく且つ環状ばね部材２８の内径Ｂよりも若干大きい直径を有するフランジ部５４とを具備する形状とされ、雌体１０への嵌入後は雄体５０は、環状ばね部材２８を弾発的に越えたフランジ部５４の下方部分が環状ばね部材２８によって、そして前記フランジ部５４の上方部分が前記移行部２２の肩部３０によって夫々支持されることにより、雌体１０との合着状態に保持される。
以上本発明を具体例を参照して説明したが、本発明の内で多くの変更を成し得ることを理解されたい。
【０００９】
【発明の効果】
環状ばね部材の、スナップボタンの雄体に対する脱着上の弾力にバラツキを生じさせることなく生地等に取り付けすることの出来るスナップボタンの雌体が提供され、
前記スナップボタンの雌体の取付けに使用するための加締め型に於ける下方ダイが提供される。
【図面の簡単な説明】
【図１】本発明に従うスナップボタンの雌体の断面図である。
【図２】図１に示すスナップボタンの雌体を取付け部材を使用して加締めることにより生地に取付ける状態を例示する断面図である。
【図３】従来のスナップボタンの雌体の断面図である。
【図４】図３に示すスナップボタンの雌体を取付け部材を使用して加締めることにより生地に取付ける状態を例示する断面図である。
【図５】本発明のスナップボタンの雌体と共に使用し得る雄体を雌体と合着させた状態で例示してなる部分断面側面図である。
【符号の説明】
１０  スナップボタンの雌体
１２  開口部
１４  表面シェル部材
１６  下端フランジ部分
１８  バレル部材
２０  第１の円筒形状部分
２２  移行部
２４  第２の円筒形状部分
２６  環状空間
２８  環状ばね部材
３０  肩部
３２  生地
３４  取付け部材
３６  下方ダイ
３８  支持面
４０  突出部
４２  段部
５０  雄体
５２  頭部
５４  フランジ部
【図１】
0003566428.tif 000002
【図２】
0003566428.tif 000003
【図３】
0003566428.tif 000004
【図４】
0003566428.tif 000005
【図５】
0003566428.tif 000006